(57)【要約】【課題】不特定の人が出入り可能な土地（敷地）への設置に適した外観を呈する太陽光パネル用架台を提供する。【解決手段】太陽光パネル用架台は、上部構造体１と、上部構造体１を支持する下部構造体２と、複数の第一固定部材１２と、を備える。上部構造体１は、太陽光パネル３を支持するフレーム構造体４を有し、下部構造体２は、複数の支柱１７と、隣接する支柱１７の間を連結して横方向に延在する第一支持部材１８とを有する。支柱１７は、第一固定部材１２を収容する支柱側ホロー部２７を有しており、フレーム構造体４と支柱１７とは、支柱側ホロー部２７に全体が収容された第一固定部材１２を介して固定されている。第一支持部材１８は、第一固定部材１２を収容する第一支持部材側ホロー部３５を有しており、支柱１７と第一支持部材１８とは、第一支持部材側ホロー部３５に全体が収容された第一固定部材１２を介して固定されている。【選択図】図１
2018170867.tif 000002
【特許請求の範囲】
【請求項１】
上部構造体と、前記上部構造体を支持する下部構造体と、複数の第一固定部材と、を備え、
前記上部構造体は、太陽光パネルを支持するフレーム構造体を有し、
前記下部構造体は、複数の支柱と、隣接する前記支柱の間を連結して横方向に延在する第一支持部材とを有し、
前記支柱は、前記第一固定部材を収容する支柱側ホロー部を有しており、前記フレーム構造体と前記支柱とは、前記支柱側ホロー部に全体が収容された前記第一固定部材を介して固定され、
前記第一支持部材は、前記第一固定部材を収容する第一支持部材側ホロー部を有しており、前記支柱と前記第一支持部材とは、前記第一支持部材側ホロー部に全体が収容された前記第一固定部材を介して固定されている
ことを特徴とする太陽光パネル用架台。
【請求項２】
前記下部構造体は、前記支柱から前記フレーム構造体の底面に向かって斜め上方に延在する第二支持部材を有し、
前記第二支持部材は、前記第一固定部材を収容する第二支持部材側ホロー部を有しており、前記フレーム構造体と前記第二支持部材とは、前記第二支持部材側ホロー部に全体が収容された前記第一固定部材を介して固定され、前記支柱と前記第二支持部材とは、前記第二支持部材側ホロー部に全体が収容された前記第一固定部材を介して固定されている
ことを特徴とする請求項１に記載の太陽光パネル用架台。
【請求項３】
前記下部構造体は、前記支柱から前記第一支持部材の底面に向かって斜め上方に延在する第二支持部材を有し、
前記第二支持部材は、前記第一固定部材を収容する第二支持部材側ホロー部を有しており、前記支柱と前記第二支持部材とは、前記第二支持部材側ホロー部に全体が収容された前記第一固定部材を介して固定され、前記第一支持部材と前記第二支持部材とは、前記第二支持部材側ホロー部に全体が収容された前記第一固定部材を介して固定されている
ことを特徴とする請求項１または２に記載の太陽光パネル用架台。
【請求項４】
前記第一固定部材は、板状に形成され、ボルト挿通穴を有する第一プレート部と、前記第一プレート部の板面上に延在する第一ホロー部と、前記第一ホロー部を間に挟んで前記第一プレート部とは反対側に配置されると共に、筒状に形成され、前記第一ホロー部の延在方向と平行な方向に延在する第一ボルト挿通部とを有することを特徴とする請求項１から３のいずれか一項に記載の太陽光パネル用架台。
【請求項５】
前記太陽光パネル用架台は、複数のネジ穴を有するタッププレートを複数備え、
前記支柱は、前記タッププレートを収容する収容スロットを有しており、
前記支柱は、前記収容スロットに全体が収容された前記タッププレートと、前記タッププレートのネジ穴に螺合されるネジとを介して前記第一固定部材と締結される
ことを特徴とする請求項１から４のいずれか一項に記載の太陽光パネル用架台。
【請求項６】
前記太陽光パネル用架台は、複数の第二固定部材を備え、
前記支柱は、前記第二固定部材を収容する支柱側ホロー部を有しており、前記支柱は、前記支柱側ホロー部に少なくとも一部が収容された前記第二固定部材を介して地面または基礎に固定されることを特徴とする請求項１から５のいずれか一項に記載の太陽光パネル用架台。
【請求項７】
前記第二固定部材は、板状に形成され、前記地面または前記基礎に固定される第二プレート部と、前記第二プレート部の板面上に延在する第二ホロー部と、前記第二ホロー部を間に挟んで前記第二プレート部とは反対側に配置されると共に、筒状に形成され、前記第二ホロー部の延在方向と平行な方向に延在する第二ボルト挿通部とを有することを特徴とする請求項６に記載の太陽光パネル用架台。
【請求項８】
前記第二ボルト挿通部は、前記第二固定部材の高さ方向に複数配設されていることを特徴とする請求項７に記載の太陽光パネル用架台。
【請求項９】
前記フレーム構造体は、
前記太陽光パネルを支持する第一フレーム部材と、
前記第一フレーム部材を支持し、かつ直交方向に延在する第二フレーム部材と、を有し、
前記支柱は、前記支柱側ホロー部に全体が収容された前記第一固定部材を介して前記フレーム構造体の前記第二フレーム部材に固定される
ことを特徴とする請求項１から８のいずれか一項に記載の太陽光パネル用架台。
【請求項１０】
前記第一固定部材、前記第一支持部材および前記支柱は、アルミニウム合金製の押出形材からなることを特徴とする請求項１から９のいずれか一項に記載の太陽光パネル用架台。
【請求項１１】
第二支持部材は、アルミニウム合金製の押出形材からなることを特徴とする請求項２または３に記載の太陽光パネル用架台。
【請求項１２】
第二固定部材は、アルミニウム合金製の押出形材からなることを特徴とする請求項６から８のいずれか一項に記載の太陽光パネル用架台。
【請求項１３】
前記第一フレーム部材および前記第二フレーム部材は、アルミニウム合金製の押出形材からなることを特徴とする請求項９に記載の太陽光パネル用架台。
【発明の詳細な説明】
【技術分野】
【０００１】
本発明は、太陽光パネル用架台に関する。
【背景技術】
【０００２】
従来から、太陽光パネルを設置するための太陽光パネル用の架台が公知である（例えば、特許文献１参照）。
【０００３】
近年、太陽光パネルを設置する土地の有効活用という観点から、例えば、駐車場、駐輪場や農地など、不特定の人が出入り可能な土地（敷地）への太陽光パネル用架台の設置に関するニーズが高まっている。
【先行技術文献】
【特許文献】
【０００４】
【特許文献１】実用新案登録第３１９６７８１号公報
【発明の概要】
【発明が解決しようとする課題】
【０００５】
前述のような太陽光パネル用架台においては、上部構造体（架台部分）と下部構造体（支柱部分）とは、外部に露出した固定部材を介して固定されるのが一般的であり、この固定部材の外部露出が外観を損なうという問題が生じ得る。
【０００６】
そこで、本発明は、不特定の人が出入り可能な土地（敷地）への設置に適した外観を呈する太陽光パネル用架台を提供することを目的とする。
【課題を解決するための手段】
【０００７】
本発明に係る太陽光パネル用架台は、上部構造体と、前記上部構造体を支持する下部構造体と、複数の第一固定部材と、を備える。前記上部構造体は、太陽光パネルを支持するフレーム構造体を有し、前記下部構造体は、複数の支柱と、隣接する前記支柱の間を連結して横方向に延在する第一支持部材とを有する。前記支柱は、前記第一固定部材を収容する支柱側ホロー部を有しており、前記フレーム構造体と前記支柱とは、前記支柱側ホロー部に全体が収容された前記第一固定部材を介して固定されている。前記第一支持部材は、前記第一固定部材を収容する第一支持部材側ホロー部を有しており、前記支柱と前記第一支持部材とは、前記第一支持部材側ホロー部に全体が収容された前記第一固定部材を介して固定されている。
【発明の効果】
【０００８】
本発明によれば、不特定の人が出入り可能な土地（敷地）への設置に適した外観を呈する太陽光パネル用架台を提供することが可能となる。
【図面の簡単な説明】
【０００９】
【図１】本発明の実施形態に係る太陽光パネル用架台の斜視図である。
【図２】本発明の実施形態に係る太陽光パネル用架台の正面図である。
【図３】本発明の実施形態に係る太陽光パネル用架台の側面図である。
【図４】各部材相互間の固定状態を示す要部斜視図である。
【図５】各部材相互間の固定状態を示す分解斜視図である。
【図６】第一フレーム部材の概略的な斜視図である。
【図７】第二フレーム部材の概略的な斜視図である。
【図８】支柱の概略的な斜視図である。
【図９】第一支持部材の概略的な斜視図である。
【図１０】第二支持部材の概略的な斜視図である。
【図１１】第一固定部材の概略的な斜視図である。
【図１２】第二固定部材の概略的な斜視図である。
【発明を実施するための形態】
【００１０】
以下、本発明の実施形態を図面と共に詳述する。なお、図面において、矢印Ｗは太陽光パネル用架台の幅方向（横方向）を示し、矢印Ｄは太陽光パネル用架台の奥行き方向（縦方向）を示し、矢印Ｈは太陽光パネル用架台の高さ方向を示す。
【００１１】
図１から図３に示すように、本発明の実施形態に係る太陽光パネル用架台は、上部構造体１と、上部構造体１を支持する下部構造体２と、を備える。
【００１２】
上部構造体１は、太陽光パネル３を支持するフレーム構造体４を有する。このフレーム構造体４は、太陽光パネル３を支持する第一フレーム部材（垂木）５と、第一フレーム部材５を支持し、かつ、第一フレーム部材５と交差する方向に延在する第二フレーム部材（垂木受け）６と、から主に構成される。本実施形態では、第一フレーム部材５と第二フレーム部材６とは、直交して配置されている。また、第一フレーム部材５は、太陽光パネル用架台の奥行き方向Ｄの一方側（前面側）と他方側（後面側）とで高さが異なるように設定されている。具体的には、第一フレーム部材５は、太陽光パネル用架台の前面側が後面側よりも高くなるように設置されている（図３参照）。
【００１３】
第一フレーム部材５は、アルミニウム合金製の押出形材からなる（図６参照）。また、第一フレーム部材５は、断面略台形の筒状の中空材から構成されており、上面、下面および両側面を有する。
【００１４】
図６に示すように、第一フレーム部材５の両側面の下端には、幅方向外側へ延出する係止プレート片７がそれぞれ第一フレーム部材５の長手方向に沿って形成されている。各係止プレート片７は、第一フレーム部材５の側面の下端に全長に亘って形成されている。そして、係止プレート片７の先端部に、上方に突出する凸部（立上部）８が第一フレーム部材５の長手方向に沿って形成されている。この凸部８は、係止プレート片７の先端部に第一フレーム部材５の全長に亘って形成されている。
【００１５】
第二フレーム部材６は、アルミニウム合金製の押出形材からなる（図７参照）。また、第二フレーム部材６は、断面略矩形の筒状の中空材から構成されており、上面、下面および両側面を有する。
【００１６】
図７に示すように、第二フレーム部材６の両側面の上端部に、ブラケット部材９との係合のための係止片１０がそれぞれ形成されている。この係止片１０は、第二フレーム部材６の両側面の上端部に全長に亘って形成されている。また、第二フレーム部材６の両側面の上部には、第二フレーム部材６にブラケット部材９（図４参照）を固定するためにビス（図示せず）が螺合される厚肉部１１が形成されている。この厚肉部１１は、第二フレーム部材６の両側面の上部に全長に亘って形成されている。一方、第二フレーム部材６の下面には、第二フレーム部材６と第一固定部材１２とを締結するために用いられるボルト５２，５８の頭部を収容する収容溝１３が第二フレーム部材６の長手方向に沿って形成されている。この収容溝１３は、複数（図示例では、二つ）併設されていると共に、第二フレーム部材６の下面に全長に亘って形成されている。ボルト５２，５８は六角ボルトであり、収容溝１３の幅は、ボルト５２，５８の二面幅よりも広く、ボルト５２，５８の対角距離よりも狭くなっている。このように構成することにより、収容溝１３は、ボルト５２，５８の回転を規制する回転止めとして機能する。さらに、収容溝１３の開口端には、収容溝１３の両側部から互いに対向するようにそれぞれ突出する突出部１４が一対に形成されている。これらの一対の突出部１４，１４同士の間隔は、ボルト５２，５８の軸部の外径よりも広く、ボルト５２，５８の頭部の外径よりも狭くなっている。このように構成することにより、一対の突出部１４，１４は、収容溝１３からのボルト５２，５８の脱落を防止する脱落止めとして機能する。
【００１７】
さらに、第二フレーム部材６の上面および両側面の内側には、第二フレーム部材６の変形抑制のためのリブ部１５が第二フレーム部材６の長手方向に沿ってそれぞれ形成されている。このリブ部１５は、Ｔ字状の断面形状に形成されていると共に、第二フレーム部材６の上面および両側面の内側に全長に亘って形成されている。
【００１８】
本実施形態に係る太陽光パネル用架台は、第二フレーム部材６の上部に固定されるブラケット部材９と、ブラケット部材９の上方に配置される挟持部材１６と、をさらに備える（図４参照）。これらのブラケット部材９及び挟持部材１６などを介して、第一フレーム部材５と第二フレーム部材６との固定が行われるようになっている。
【００１９】
一方、下部構造体２は、図１から図３に示すように、複数の支柱１７と、隣接する支柱１７の間を連結して横方向に延在する第一支持部材１８と、支柱１７から斜め上方に延在する第二支持部材１９と、から主に構成される。本実施形態では、第一支持部材１８は、水平方向に延在するように配置される。また、第一支持部材１８は、太陽光パネル用架台の奥行き方向Ｄの一方側（前面側）の支柱１７と他方側（後面側）の支柱１７との間を架け渡して連結している。
【００２０】
図５に示すように、上部構造体１（フレーム構造体４）の第二フレーム部材６と下部構造体２の支柱１７とは、第一固定部材１２を介して第一締結部材２０により固定されている。また、第二支持部材１９の基部（下端部）は、第一固定部材１２を介して第二締結部材２１により支柱１７と固定されている。そして、第二支持部材１９の先端部（上端部）が、第一固定部材１２を介して第三締結部材２２により第二フレーム部材６と固定されている。このように、第二フレーム部材６、支柱１７および第一支持部材１８を、第一固定部材１２を用いて相互に固定することにより、側面視で三角形のトラス構造が形成される（図１、図２参照）。
【００２１】
また、支柱１７と第一支持部材１８とは、第一固定部材１２を介して第四締結部材２３により固定されている。また、第二支持部材１９の基部（下端部）は、第一固定部材１２を介して第二締結部材２１により支柱１７と固定されている。そして、第二支持部材１９の先端部（上端部）が、第一固定部材１２を介して第五締結部材２４により第一支持部材１８と固定されている。このように、支柱１７、第一支持部材１８および第二支持部材１９を、第一固定部材１２を用いて相互に固定することにより、側面視で三角形のトラス構造が形成される（図１、図３参照）。
【００２２】
さらに、下部構造体２の支柱１７が、第六締結部材２５を介して地面２６（または基礎）に固定されるようになっている。
【００２３】
支柱１７は、アルミニウム合金製の押出形材からなる（図８参照）。また、支柱１７は、断面矩形状の筒状の中空材から構成されており、内部の支柱側ホロー部２７、四辺の側面を有する。
【００２４】
図８に示すように、支柱１７の基部（下端部）には、支柱１７の高さ方向に間隔を隔てて複数（図示例では、三つ）のボルト挿通穴２８が形成されている。このボルト挿通穴２８には、支柱１７と第二固定部材２９とを締結するためのボルト７０の軸部が挿通される。
【００２５】
また、支柱１７の先端部（上端部）には、別のボルト挿通穴３０が形成されている。このボルト挿通穴３０には、支柱１７と第一固定部材１２とを締結するためのボルト５３の軸部が挿通される。
【００２６】
また、支柱１７の基部（下端部）と先端部（上端部）との間の一般部には、別のボルト挿通穴３１が形成される。本実施形態では、複数（図示例では、四つ）で一組のボルト挿通穴３１を構成しており、これらのボルト挿通穴３１には、支柱１７と第一固定部材１２とを締結するためのネジ（ボルト）５５，６２の軸部がそれぞれ挿通される。
【００２７】
さらに、支柱１７の四辺の側面の内、ボルト挿通穴３１が形成される側面の内側には、支柱１７と第一固定部材１２とを締結するために用いられるタッププレート３２（図５参照）を収容する収容スロット３３が支柱１７の長手方向に沿って形成されている。この収容スロット３３は、複数（図示例では、二つ）併設されていると共に、支柱１７の側面の内側に全長に亘って形成されている。また、各収容スロット３３は、支柱１７の側面に対して幅方向に間隔を隔てて配設された一対の突起片３４，３４から構成されている。この突起片３４は、Ｌ字状の断面形状に形成されていると共に、支柱１７の側面の内側に全長に亘って形成されている。
【００２８】
第一支持部材１８は、アルミニウム合金製の押出形材からなる（図９参照）。また、第一支持部材１８は、断面矩形状の筒状の中空材から構成されており、内部の第一支持部材側ホロー部３５、上面、下面および両側面を有する。
【００２９】
図９に示すように、第一支持部材１８の長手方向の両端部において両側面には、ボルト挿通穴３６がそれぞれ形成されている。このボルト挿通穴３６には、第一支持部材１８と第一固定部材１２とを締結するためのボルト６３の軸部が挿通される。一方、第一支持部材１８の下面には、第一支持部材１８と第一固定部材１２とを締結するために用いられるボルト６５の頭部を収容する収容溝３７が第一支持部材１８の長手方向に沿って形成されている。この収容溝３７は、複数（図示例では、二つ）併設されていると共に、第一支持部材１８の下面に全長に亘って形成されている。ボルト６５は六角ボルトであり、収容溝３７の幅は、ボルト６５の二面幅よりも広く、ボルト６５の対角距離よりも狭くなっている。このように構成することにより、収容溝３７は、ボルト６５の回転を規制する回転止めとして機能する。さらに、収容溝３７の開口端には、収容溝３７の両側部から互いに対向するようにそれぞれ突出する突出部３８が一対に形成されている。これらの一対の突出部３８，３８同士の間隔は、ボルト６５の軸部の外径よりも広く、ボルト６５の頭部の外径よりも狭くなっている。このように構成することにより、一対の突出部３８，３８は、収容溝３７からのボルト６５の脱落を防止する脱落止めとして機能する。
【００３０】
第二支持部材１９は、アルミニウム合金製の押出形材からなる（図１０参照）。また、第二支持部材１９は、断面矩形状の筒状の中空材から構成されており、内部の第二支持部材側ホロー部３９、上面、下面および両側面を有する。
【００３１】
図１０に示すように、第二支持部材１９の長手方向の両端部において両側面には、ボルト挿通穴４０がそれぞれ形成されている。このボルト挿通穴４０には、第二支持部材１９と第一固定部材１２とを締結するためのボルト５６，５９，６６の軸部が挿通される。また、第二支持部材１９の長手方向の両端面には、第二支持部材１９の長手方向に対して斜めに延在するように斜面４１が形成されている。第二支持部材１９の基部（下端部）の斜面４１は、支柱１７に対する傾斜角度（図示例では、４５度）に対応して斜めに形成されており、先端部（上端部）の斜面４１は、第二フレーム部材６または第一支持部材１８に対する傾斜角度（図示例では、４５度）に対応して斜めに形成されている。
【００３２】
第一固定部材１２は、アルミニウム合金製の押出形材からなる（図１１参照）。
【００３３】
図１１に示すように、第一固定部材１２は、板状に形成され、ボルト挿通穴４６を有する第一プレート部４３と、第一プレート部４３の板面上に延在する第一ホロー部４４とを有している。この第一固定部材１２は、第一ホロー部４４を間に挟んで第一プレート部４３とは反対側に配置されると共に、筒状に形成され、第一ホロー部４４の延在方向と平行な方向に延在する第一ボルト挿通部４５をさらに有する。第一プレート部４３には、ボルト挿通穴４６が複数（本実施形態では、全部で四つ）形成されている。また、第一ホロー部４４は、断面略台形の筒状に形成され、第一ボルト挿通部４５は、断面円形状の筒状に形成されている。
【００３４】
図５に示すように、タッププレート３２は、全体として板状に形成されていると共に、複数（図示例では、四つ）のネジ穴（ボルト穴）４７を有する。このようなタッププレート３２は、ナットの集合体としての機能を有する。タッププレート３２は、例えば、ＳＵＳ（ステンレス鋼）製の板状材からなる。
【００３５】
第二固定部材２９は、アルミニウム合金製の押出形材からなる（図１２参照）。
【００３６】
図１２に示すように、第二固定部材２９は、板状に形成され、地面２６または基礎に固定される第二プレート部４８と、第二プレート部４８の板面上に延在する第二ホロー部４９とを有している。この第二固定部材２９は、第二ホロー部４９を間に挟んで第二プレート部４８とは反対側に配置されると共に、筒状に形成され、第二ホロー部４９の延在方向と平行な方向に延在する第二ボルト挿通部５０をさらに有する。第二プレート部４８には、ボルト挿通穴５１が複数（図示例では、全部で二つ）形成されている。また、第二ホロー部４９は、断面略台形の筒状に形成され、第二ボルト挿通部５０は、断面円形状の筒状に形成されている。さらに、第二ボルト挿通部５０は、第二固定部材２９の高さ方向に複数（図示例では、三つ）配設（連設）されている。
【００３７】
図５に示すように、上部構造体１（フレーム構造体４）の第二フレーム部材６と支柱１７との固定は、第一固定部材１２を介してボルト５２，５３およびナット５４など（第一締結部材２０）により行う。第一固定部材１２は、全体が支柱１７の支柱側ホロー部２７に収容され、ボルト５２は、頭部が第二フレーム部材６の収容溝１３に収容される。そして、第二フレーム部材６の下面と支柱１７の上端とを当接させた状態で第二フレーム部材６と支柱１７とを固定することにより、第二フレーム部材６と支柱１７との部材同士の間に継ぎ目や隙間がなくなると共に、第一固定部材１２の全体が外部に露出しない。
【００３８】
第二支持部材１９の基部（下端部）と支柱１７との固定は、第一固定部材１２を介してボルト５５，５６、タッププレート３２およびナット５７（第二締結部材２１）により行う。第一固定部材１２は、全体が第二支持部材１９の第二支持部材側ホロー部３９に収容され、タッププレート３２は、全体が支柱１７の収容スロット３３に収容される。そして、第二支持部材１９の基部（下端部）と支柱１７の側面とを当接させた状態で第二支持部材１９と支柱１７とを固定することにより、第二支持部材１９と支柱１７との部材同士の間に継ぎ目や隙間がなくなると共に、第一固定部材１２の全体が外部に露出しない。
【００３９】
第二支持部材１９の先端部（上端部）と上部構造体１（フレーム構造体４）の第二フレーム部材６との固定は、第一固定部材１２を介してボルト５８，５９およびナット６０，６１（第三締結部材２２）により行う。第一固定部材１２は、全体が第二支持部材１９の第二支持部材側ホロー部３９に収容され、ボルト５８は、頭部が第二フレーム部材６の収容溝１３に収容される。そして、第二支持部材１９の先端部（上端部）と第二フレーム部材６の下面とを当接させた状態で第二支持部材１９と第二フレーム部材６とを固定することにより、第二支持部材１９と第二フレーム部材６との部材同士の間に継ぎ目や隙間がなくなると共に、第一固定部材１２の全体が外部に露出しない。
【００４０】
第一支持部材１８と支柱１７との固定は、第一固定部材１２を介してボルト６２，６３、タッププレート３２およびナット６４（第四締結部材２３）により行う。第一固定部材１２は、全体が第一支持部材１８の第一支持部材側ホロー部３５に収容され、タッププレート３２は、全体が支柱１７の収容スロット３３に収容される。そして、第一支持部材１８の端部と支柱１７の側面とを当接させた状態で第一支持部材１８と支柱１７とを固定することにより、第一支持部材１８と支柱１７との部材同士の間に継ぎ目や隙間がなくなると共に、第一固定部材１２の全体が外部に露出しない。
【００４１】
第二支持部材１９の先端部（上端部）と第一支持部材１８とは、第一固定部材１２を介してボルト６５，６６およびナット６７，６８（第五締結部材２４）により行う。第一固定部材１２は、全体が第二支持部材１９の第二支持部材側ホロー部３９に収容され、ボルト６５は、頭部が第一支持部材１８の収容溝３７に収容される。そして、第二支持部材１９の先端部（上端部）と第一支持部材１８の下面とを当接させた状態で第二支持部材１９と第一支持部材１８とを固定することにより、第二支持部材１９と第一支持部材１８との部材同士の間に継ぎ目や隙間がなくなると共に、第一固定部材１２の全体が外部に露出しない。
【００４２】
さらに、下部構造体２の支柱１７と地面２６（または基礎）とは、第二固定部材２９を介してボルト６９，７０およびナット７１など（第六締結部材２５）により固定されるようになっている。この際には、第二固定部材２９は、第二ボルト挿通部５０が支柱１７の支柱側ホロー部２７に収容されるようになっている。
【００４３】
以下に、本実施形態による作用効果を説明する。
【００４４】
（１）本実施形態に係る太陽光パネル用架台は、上部構造体１と、上部構造体１を支持する下部構造体２と、複数の第一固定部材１２と、を備える。上部構造体１は、太陽光パネル３を支持するフレーム構造体４を有し、下部構造体２は、複数の支柱１７と、隣接する支柱１７の間を連結して横方向に延在する第一支持部材１８とを有する。支柱１７は、第一固定部材１２を収容する支柱側ホロー部２７を有しており、フレーム構造体４と支柱１７とは、支柱側ホロー部２７に全体が収容された第一固定部材１２を介して固定されている。第一支持部材１８は、第一固定部材１２を収容する第一支持部材側ホロー部３５を有しており、支柱１７と第一支持部材１８とは、第一支持部材側ホロー部３５に全体が収容された第一固定部材１２を介して固定されている。
【００４５】
第一支持部材１８は、隣接する支柱１７の間を連結して、下部構造体２の固定強度を増加させる機能を有する。
【００４６】
第一固定部材１２の全体が支柱１７の支柱側ホロー部２７や第一支持部材１８の第一支持部材側ホロー部３５に収容される。これにより、特に、フレーム構造体４と支柱１７とを突き付け状態で接合が可能になり、さらに、支柱１７と第一支持部材１８も同様の接合が可能になり、部材同士の継ぎ目に隙間が生じないようにすることが可能となる。すなわち、フレーム構造体４と支柱１７とを隙間なく連結することが可能となると共に、支柱１７と第一支持部材１８とを隙間なく連結することが可能となる。このため、太陽光パネル用架台の外観および意匠性を良好なものとすることができる。
【００４７】
以上要するに、本実施形態によれば、不特定の人が出入り可能な土地（敷地）への設置に適した外観を呈する太陽光パネル用架台を提供することが可能となる。
【００４８】
（２）下部構造体２は、支柱１７からフレーム構造体４の底面に向かって斜め上方に延在する第二支持部材１９を有する。第二支持部材１９は、第一固定部材１２を収容する第二支持部材側ホロー部３９を有しており、フレーム構造体４と第二支持部材１９とは、第二支持部材側ホロー部３９に全体が収容された第一固定部材１２を介して固定されている。支柱１７と第二支持部材１９とは、第二支持部材側ホロー部３９に全体が収容された第一固定部材１２を介して固定されている。
【００４９】
本実施形態に係る太陽光パネル用架台においては、フレーム構造体４と支柱１７と第二支持部材１９とにより、側面視で三角形のトラス構造が形成されるので、強度に優れた太陽光パネル用架台を提供することが可能になる。
【００５０】
第一固定部材１２の全体が第二支持部材１９の第二支持部材側ホロー部３９に収容される。これにより、特に、フレーム構造体４と第二支持部材１９とを突き付け状態で接合が可能になり、さらに、支柱１７と第二支持部材１９も同様の接合が可能になり、部材同士の継ぎ目に隙間が生じないようにすることが可能となる。すなわち、フレーム構造体４と第二支持部材１９とを隙間なく連結することが可能となると共に、支柱１７と第二支持部材１９とを隙間なく連結することが可能となる。このため、太陽光パネル用架台の外観および意匠性を良好なものとすることができる。
【００５１】
（３）下部構造体２は、支柱１７から第一支持部材１８の底面に向かって斜め上方に延在する第二支持部材１９を有する。第二支持部材１９は、第一固定部材１２を収容する第二支持部材側ホロー部３９を有しており、支柱１７と第二支持部材１９とは、第二支持部材側ホロー部３９に全体が収容された第一固定部材１２を介して固定されている。第一支持部材１８と第二支持部材１９とは、第二支持部材側ホロー部３９に全体が収容された第一固定部材１２を介して固定されている。
【００５２】
本実施形態に係る太陽光パネル用架台においては、支柱１７と第一支持部材１８と第二支持部材１９とにより、側面視で三角形のトラス構造が形成されるので、強度に優れた太陽光パネル用架台を提供することが可能になる。
【００５３】
第一固定部材１２の全体が第二支持部材１９の第二支持部材側ホロー部３９に収容される。これにより、特に、支柱１７と第二支持部材１９とを突き付け状態で接合が可能になり、さらに、第一支持部材１８と第二支持部材１９も同様の接合が可能になり、部材同士の継ぎ目に隙間が生じないようにすることが可能となる。すなわち、支柱１７と第二支持部材１９とを隙間なく連結することが可能となると共に、第一支持部材１８と第二支持部材１９とを隙間なく連結することが可能となる。このため、太陽光パネル用架台の外観および意匠性を良好なものとすることができる。
【００５４】
（４）第一固定部材１２は、板状に形成され、ボルト挿通穴４６を有する第一プレート部４３と、第一プレート部４３の板面上に延在する第一ホロー部４４と、第一ホロー部４４を間に挟んで第一プレート部４３とは反対側に配置されると共に、筒状に形成され、第一ホロー部４４の延在方向と平行な方向に延在する第一ボルト挿通部４５とを有する。
【００５５】
第一固定部材１２が第一プレート部４３を有することにより、第一固定部材１２を各部材に締結する際に、第一プレート部４３を各部材に接触させることで、面圧を増加させて固定強度を高めることが可能となる。また、第一プレート部４３がボルト挿通穴４６を有することにより、第一固定部材１２を各部材にボルトを用いて締結することが可能となる。
【００５６】
第一固定部材１２が第一ボルト挿通部４５を有することにより、各部材の外部からの通しボルトにより第一ボルト挿通部４５に貫通させることで、第一固定部材１２を各部材に締結することが可能となる。
【００５７】
（５）太陽光パネル用架台は、複数のネジ穴４７を有するタッププレート３２を複数備える。支柱１７は、タッププレート３２を収容する収容スロット３３を有しており、支柱１７は、収容スロット３３に全体が収容されたタッププレート３２と、タッププレート３２のネジ穴４７に螺合されるネジ５５，６２とを介して第一固定部材１２と締結される。
【００５８】
タッププレート３２の全体が支柱１７の収容スロット３３に収容されることにより、タッププレート３２を収容スロット３３に挿入した際に、タッププレート３２は支柱１７の外部に露出せずに支柱１７の外部から隠されることとなる。このため、太陽光パネル用架台の外観および意匠性を良好なものとすることができる。
【００５９】
タッププレート３２がネジ穴４７を有することにより、ナットなどを用いる必要がなく、支柱１７の外部からのネジ（ボルト）のみで第一固定部材１２を支柱１７と締結することが可能となる。このため、太陽光パネル用架台の施工作業性を向上させることができる。
【００６０】
（６）太陽光パネル用架台は、複数の第二固定部材２９を備える。支柱１７は、第二固定部材２９を収容する支柱側ホロー部２７を有しており、支柱１７は、支柱側ホロー部２７に少なくとも一部が収容された第二固定部材２９を介して地面２６または基礎に固定される。
【００６１】
太陽光パネル用架台が第二固定部材２９を備えることにより、支柱１７の固定が比較的容易となり、必ずしも基礎を必要としない太陽光パネル用架台を構成することが可能となる。
【００６２】
（７）第二固定部材２９は、板状に形成され、地面２６または基礎に固定される第二プレート部４８と、第二プレート部４８の板面上に延在する第二ホロー部４９と、第二ホロー部４９を間に挟んで第二プレート部４８とは反対側に配置されると共に、筒状に形成され、第二ホロー部４９の延在方向と平行な方向に延在する第二ボルト挿通部５０とを有する。
【００６３】
第二固定部材２９が第二プレート部４８を有することにより、第二固定部材２９を地面２６または基礎に締結する際に、第二プレート部４８を地面２６または基礎に接触させることで、面圧を増加させて固定強度を高めることが可能となる。
【００６４】
第二固定部材２９が第二ホロー部４９を有することにより、第二ボルト挿通部５０を第二ホロー部４９の高さの分だけ高い位置に形成することができ、支柱１７と第二固定部材２９との取り合いの範囲を広くとることが可能となる。
【００６５】
第二固定部材２９が第二ボルト挿通部５０を有することにより、支柱１７の外部からの通しボルトにより第二ボルト挿通部５０に貫通させることで、第二固定部材２９を支柱１７に締結することが可能となる。
【００６６】
（８）第二ボルト挿通部５０は、第二固定部材２９の高さ方向に複数配設されている。
【００６７】
第二ボルト挿通部５０が第二固定部材２９の高さ方向に複数配設されることにより、支柱１７と第二固定部材２９との取り合いにおいて、細かいレベル調整（高さ位置調整）を行うことが可能となる。このため、地面の微小な起伏などに対応して太陽光パネル用架台を設置することができる。
【００６８】
（９）フレーム構造体４は、太陽光パネル３を支持する第一フレーム部材５と、第一フレーム部材５を支持し、かつ直交方向に延在する第二フレーム部材６と、を有する。支柱１７は、支柱側ホロー部２７に全体が収容された第一固定部材１２を介してフレーム構造体４の第二フレーム部材６に固定される。
【００６９】
第一固定部材１２の全体が支柱１７の支柱側ホロー部２７に収容されることにより、特に、第二フレーム部材６と支柱１７との間の部材同士の継ぎ目に隙間が生じないようにすることが可能となる。すなわち、第二フレーム部材６と支柱１７とを隙間なく連結することが可能となる。このため、太陽光パネル用架台の外観および意匠性を良好なものとすることができる。
【００７０】
（１０）第一固定部材１２、第一支持部材１８、支柱１７、第二支持部材１９、第二固定部材２９、第一フレーム部材５および第二フレーム部材６はそれぞれ、アルミニウム合金製の押出形材からなる。
【００７１】
これにより、これらの各部材を鋼材からなるものとした場合と比較すると、太陽光パネル用架台全体を軽量化することが可能になる。また、これらの各部材の寸法精度を高めることができ、太陽光パネル用架台の設置を容易かつ正確に行うことができると共に、優れた耐食性および外観を得ることができる。さらに、長尺の部材を比較的低コストで製造することができるため、製造コストを低減することができると共に、アルミニウム合金はリサイクル性に比較的優れているため、太陽光パネル用架台の撤去後に材料を再利用することができる。
【００７２】
ところで、本発明の太陽光パネル用架台は前述の実施形態に例をとって説明したが、この実施形態に限ることなく本発明の要旨を逸脱しない範囲で他の実施形態を各種採用することができる。
【符号の説明】
【００７３】
１  上部構造体
２  下部構造体
３  太陽光パネル
４  フレーム構造体
５  第一フレーム部材
６  第二フレーム部材
１２  第一固定部材
１７  支柱
１８  第一支持部材
１９  第二支持部材
２６  地面
２７  支柱側ホロー部
２９  第二固定部材
３２  タッププレート
３３  収容スロット
３５  第一支持部材側ホロー部
３９  第二支持部材側ホロー部
４３  第一プレート部
４４  第一ホロー部
４５  第一ボルト挿通部
４６  ボルト挿通穴
４７  ネジ穴（ボルト穴）
４８  第二プレート部
４９  第二ホロー部
５０  第二ボルト挿通部
５５  ネジ（ボルト）
６２  ネジ（ボルト）
【図１】
2018170867.tif 000003
【図２】
2018170867.tif 000004
【図３】
2018170867.tif 000005
【図４】
2018170867.tif 000006
【図５】
2018170867.tif 000007
【図６】
2018170867.tif 000008
【図７】
2018170867.tif 000009
【図８】
2018170867.tif 000010
【図９】
2018170867.tif 000011
【図１０】
2018170867.tif 000012
【図１１】
2018170867.tif 000013
【図１２】
2018170867.tif 000014